(57)【要約】      （修正有）【課題】多方向から組合せ可能であるとともに、回路配線の外部露出による乱雑を防止できる、組立式ＬＥＤ灯具を提供する。【解決手段】内部に収容空間を有する多面筐体１を備えるように構成され、またその多面筐体には、少なくとも１つの開口１１と、複数の導電ユニットと、収容空間内に形成される少なくとも１つの支持ユニットと、多面筐体の各面の外側に形成される複数の連接面１２と、開口に設置され、かつ支持ユニットの上に組み付けられる発光ダイオード２と、開口の上に接続される透光素子３と、複数の連接面のうちの一面の連接面に電気的に接続される外部電力供給ユニットと、を有するように構成され、各連接面の上には、さらに導電モジュール１２１と、組合せ構造と、を有するように構成される。【選択図】図１
0003186131.tif 000002
【実用新案登録請求の範囲】
【請求項１】
内部に収容空間を有する多面筐体を備える組立式ＬＥＤ灯具であって、
前記多面筐体には、
前記多面筐体の多面のうちの一面に形成され、上部に複数の位置決め孔を有する少なくとも１つの開口と、
前記収容空間内に設置されるとともに、前記多面筐体の各面の内側に設置される複数の導電ユニットと、
前記収容空間内に形成される少なくとも１つの支持ユニットと、
前記多面筐体の各面の外側に形成される複数の連接面と、
前記開口に設置され、かつ前記支持ユニットの上に組み付けられ、上部に前記導電ユニットに電気的に接続される導線を有する発光ダイオードと、
複数の位置決め柱により前記複数の位置決め孔に組み合わされる透光素子と、
前記複数の連接面のうちの一面の連接面に電気的に接続される外部電力供給ユニットと、を有し、
各前記導電ユニットは、相互に電気的に接続され、
各前記連接面の上には、さらに前記導電ユニットに電気的に接続される導電モジュールと、前記導電モジュールの付近に形成される組合せ構造と、を有し、
各前記組立式ＬＥＤ灯具は、前記連接面により電気的に接続されるとともに、互いに組み合わされて固定されることを特徴とする、
組立式ＬＥＤ灯具。
【請求項２】
前記多面筐体は、円柱体、四面筐体、五面筐体、六面筐体、七面筐体、八面筐体及びその他の多面筐体からなる群の中のいずれかの１種以上であることを特徴とする、請求項１に記載の組立式ＬＥＤ灯具。
【請求項３】
前記多面筐体の製造材料は、透光材料及び不透光材料のうちのいずれかの１種であることを特徴とする、請求項２に記載の組立式ＬＥＤ灯具。
【請求項４】
前記組合せ構造は、スナップ留めの組合せ構造、雄雌・凸凹の組合せ構造、磁力吸着の組合せ構造及び位置制限の組合せ構造からなる群の中のいずれかの１種以上であることを特徴とする、請求項１に記載の組立式ＬＥＤ灯具。
【請求項５】
前記透光素子は、異なる色の材料で製造可能であることを特徴とする、請求項１に記載の組立式ＬＥＤ灯具。
【請求項６】
前記外部電力供給ユニットは、ランプスタンド、コンセント及び懐中電灯ソケットのうちのいずれかの１種であることを特徴とする、請求項１に記載の組立式ＬＥＤ灯具。
【考案の詳細な説明】
【技術分野】
【０００１】
本考案は、組立式ＬＥＤ灯具に係り、特に、多方向から組合せ可能であるとともに、回路配線の外部露出による乱雑を防止できる、組立式ＬＥＤ灯具に関するものである。
【背景技術】
【０００２】
科学技術の発達に伴い、国際社会が環境保護の課題に対して益々注目している現在において、発光ダイオードは、省エネ・省電力、高効率、長寿命といった利点があるため、既に従来の白熱電球に代わって現在の重要な照明設備として普及が進んでおり、さらにそれ自体の重量が軽い、幅が薄い、体積が小さいわりには、ぶつかって損傷し難い特性により、発光ダイオードの応用範囲の広さ或いは適用範囲の柔軟性における経済価値は、その他の種類の光源を大幅に超えている。
【０００３】
発光ダイオードは上記の特性を有するため、数多くの応用として用いられる。次に、図１に示す従来技術における一種の組立式灯具の概略図を参照する。
前記組立式灯具Ｐ１は、複数の発光ユニットＰ１１から構成され、発光ユニットＰ１１は、筐体Ｐ１１１と、発光ダイオードＰ１１２と、電源コードＰ１１３と、複数の係合構造Ｐ１１４と、を備えるように構成され、発光ダイオードＰ１１２は、筐体Ｐ１１１内の回路基板の上に設置される。電源コードＰ１１３は、発光ダイオードＰ１１２に電気的に接続されるとともに、外部から電源を提供することで発光ダイオードＰ１１２を発光させる。前記係合構造Ｐ１１４は、筐体Ｐ１１１の表面に設置され、かつ凸出部Ｐ１１５と凹陥部Ｐ１１６とに二分し、隣り合う両発光ユニットＰ１１は、互いに対応する凸出部Ｐ１１５と凹陥部Ｐ１１６が相互に係合することによって連結されることから、照明方向が全面の形状になるように組み合わせてなる。
【０００４】
然しながら、従来技術に使用される組立式灯具は、使用上、まだ下記の克服すべき欠陥を有する。
【０００５】
１．各発光ユニットの間は、単方向のみに連結可能であり、つまり１つの発光ユニットの凸出部が別の発光ユニットの凹陥部にしか組み合わされないので、組合わせた後の造型の変化が乏しく、使用者に対する使用性を大幅に制限してしまう。
【０００６】
２．発光ユニットのいずれも電源コードと連結導通する必要があるため、回路配線は、常に組合せの数量の増加につれて乱雑になるので、美観に影響を与えるだけではなく、安全性を確保するための配慮も要求される。上述した回路配線の問題は、供給電源を内蔵する方式により解決できるが、電池を筐体内に装着する場合、引き起こされた重量の増加、電池の換装、均一に開閉することができないといった新たな問題があるため、使用上も相当に不便である。
【０００７】
従って、如何にして照明の方向性と回路配線の乱雑を解決するかが問題となり、これこそが本考案の考案動機である。これに鑑みて、本願の考案者は、長年の研究を積み重ねた経験、本人の着想及び絶えない試みに基づき、その結果、上述した従来技術の欠陥を有効に改善できる、組立式ＬＥＤ灯具を研究開発した。
【考案の概要】
【考案が解決しようとする課題】
【０００８】
本考案の第１目的は、灯具の各面に組合せ構造を増加することによって、灯具は異なる連接面から相互に接続され、灯具の使用の利便性と照明の方向性を向上させる、組立式ＬＥＤ灯具を提供することにある。
【０００９】
本考案の第２目的は、導電素子を灯具の各面に設置するとともに、内部に各面の導電素子を接続することによって、灯具は異なる連接面から相互に接続された後でも導電できるようにし、さらに従来技術のように、各灯具ごとに１本の導電線を配置する必要から、回路配線が乱雑になることを防止できる、組立式ＬＥＤ灯具を提供することにある。
【課題を解決するための手段】
【００１０】
前記組立式ＬＥＤ灯具は、内部に収容空間を有する多面筐体を備えるように構成される。また、その多面筐体には、前記多面筐体の多面のうちの一面に形成され、上部に複数の位置決め孔を有する少なくとも１つの開口と、前記収容空間内に設置されるとともに、多面筐体の各面の内側に設置される複数の導電ユニットと、収容空間内に形成される少なくとも１つの支持ユニットと、多面筐体の各面の外側に形成される複数の連接面と、開口に設置され、かつ支持ユニットの上に組み付けられ、上部に前記導電ユニットに電気的に接続される導線を有する発光ダイオードと、複数の位置決め柱により前記複数の位置決め孔に組み合わされる透光素子と、前記複数の連接面のうちの一面の連接面に電気的に接続される外部電力供給ユニットと、を有するように構成され、各導電ユニットは、相互に電気的に接続され、各連接面の上には、さらに前記導電ユニットに電気的に接続される導電モジュールと、前記導電モジュールの付近に形成される組合せ構造と、を有するように構成される。
【図面の簡単な説明】
【００１１】
【図１】従来技術における一種の組立式灯具を示す概略図である。
【図２】本考案の組立式ＬＥＤ灯具を示す分解概略図である。
【図３】本考案の組立式ＬＥＤ灯具の第１視角からの内部を示す概略図である。
【図４】本考案の組立式ＬＥＤ灯具の第２視角からの内部を示す概略図である。
【図５】本考案の組立式ＬＥＤ灯具のＬＥＤの装着概略図である。
【図６】本考案の組立式ＬＥＤ灯具の組合せを示す応用概略図である。
【考案を実施するための形態】
【００１２】
本考案が提出した組立式ＬＥＤ灯具をより完全に理解するために、添付図面を参照しながら、本考案の好適な実施例を以下に詳述する。
【００１３】
まず、図２、図３、図４及び図５を参照しながら、本考案の主要素子について説明する。それらの図は、それぞれ本考案の組立式ＬＥＤ灯具の分解概略図であり、第１視角からの内部の概略図であり、第２視角からの内部の概略図であり、及びＬＥＤの装着概略図である。
【００１４】
その構造は、円柱体、四面筐体、五面筐体、六面筐体、七面筐体、八面筐体又はその他の多面筐体に製作することができる多面筐体１を備えるように構成される。なお、本実施例においては六面体構造を例として構造について説明する。また、前記多面筐体１の内部には、収容空間が形成され、また前記多面筐体１の多面のうちの一面に形成される開口１１を有するとともに、前記開口１１の上部の４つの角隅に位置決め孔１１１がそれぞれ設置される。
５つの導電ユニット１１２は、図３と図４に示すように、前記収容空間内に設置されるとともに、多面筐体１の開口１１の外部の各面の内側に設置され、また各導電ユニット１１２は、相互に電気的に接続される。２つの支持ユニット１１３は、収容空間内に形成される。そのほかに、使用者の要求に応じて多面筐体１の形状が選択できる以外にも、使用者の要求に応じて多面筐体１の製造材料は透光材料或いは不透光材料から選択できるようにすることも好適である。
【００１５】
５つの連接面１２は、多面筐体１の開口１１の外部の各面の外側に形成されるとともに、各連接面１２の上には、さらに導電モジュール１２１と、組合せ構造（１２２，１２３）と、を有し、導電モジュール１２１は、図２と図４に示すように、本実施例においては連接面１２の中央に設置されるとともに、内部の前記導電ユニット１１２に電気的に接続される。
組合せ構造（１２２，１２３）は、前記導電モジュール１２１の付近に形成され、そのうち、前記組合せ構造は、スナップ留めの組合せ構造、雄雌・凸凹の組合せ構造、磁力吸着の組合せ構造或いは位置制限の組合せ構造から選択的に使用でき、本考案では、雄雌・凸凹の組合せ構造を実施例として使用する。図２に示すように、前記凸出部１２２が六面筐体のうちの両面に設置される一方、凹陥部１２３がそのうちの三面の上に設置される。こうして、凸出部１２２と凹陥部１２３との相互結合により、異なる多面筐体１を組み合わせて接続する。
そのほかに、前記凸出部１２２と凹陥部１２３の位置が固定するように設けられているので、ポカヨケ（作業ミス防止）の効果を有する。このようにして、使用者は、連接面１２を貼り合わさなければ、導電モジュール１２１を導通させることができなくなる。
【００１６】
発光ダイオード２は、図１と図５に示すように、開口１１箇所に設置され、かつ支持ユニット１１３の上に組み付けられ、上部に前記導電ユニット１１２に電気的に接続される導線２１を有する。透光素子３は、４本の位置決め柱３１により前記４つの位置決め孔１１１の上に組み合わされ、本実施例において、前記透光素子３は、使用者の要求に応じて異なる色の材料で製造することができ、それ自身変更することによって灯光の色を調整する。
外部電力供給ユニット（未図示）は、前記連接面のうちの一面の連接面の上に電気的に接続され、電力供給することにより、前記発光ダイオード２を点灯させ、また前記外部電力供給ユニットは、ランプスタンド、コンセント、懐中電灯ソケットなどの装置であってもよい。
【００１７】
以上、本考案の構造について詳細に説明した。上記の構造によれば、多面筐体１は、連接面１２の上の導電モジュール１２１により電気回路を導通させ、多面筐体１の連接面１２のうちの１つだけで外部電力供給ユニットに接続されて電源を提供した後に、電気回路が導通されるので、一緒に接続されている組立式ＬＥＤ灯具の発光ダイオード２を点灯させることができる。
最後に、図６に示す本考案の組立式ＬＥＤ灯具の組合せの応用概略図を参照し、図示のように、多面筐体１の組合せ構造（１２２，１２３）であれば、別の多面筐体１の組合せ構造（１２２，１２３）を用いて組合せ及び電気回路の導通を行うことができる。
使用者は、要求に応じて多面筐体１を自由に組立てることによって、発光面（及び開口１１）を自身が必要とする照明の方向に向かせるようにする。
また、本考案は、六面体構造を使用するほかに、さらに円柱体、四面筐体、五面筐体、六面筐体、七面筐体、八面筐体又はその他の多面筐体を使用して組み合わせたり、組み立てたりすることができる。続いて、本考案の使用形態について説明する。
【００１８】
以上、本考案の構造及びその使用方式を十分かつ明確に開示した。上記のように、本考案は、下記の二点の利点を有する。
【００１９】
１．灯具の各面に組合せ構造を増加することによって、灯具は異なる連接面から相互に接続され、灯具の使用の利便性と照明の方向性を向上させる。
【００２０】
２．導電モジュールを灯具の各面に設置するとともに、内部に導電ユニットを利用して各連接面が組み合わされた後に、導電モジュールを用いて回路を導通するように電気的に接続される。これにより、灯具は異なる連接面から相互に接続された後でも導電できるようにし、さらに従来技術のように、各灯具ごとに１本の導電線を配置する必要があることから、回路配線が乱雑になることを防止できる。
【００２１】
上記の詳細説明は、本考案の実施可能な実施例についての具体的な説明であり、但し、前記実施例は、本考案の実用新案登録請求の範囲になんら制限を加えるものではない。本考案の技芸精神を逸脱しない限り、その等効果の実施又は変更は、なお、本願実用新案登録請求の範囲に含まれるものとする。
【符号の説明】
【００２２】
１        多面筐体
１１      開口
１１１    位置決め孔
１１２    導電ユニット
１１３    支持ユニット
１２      連接面
１２１    導電モジュール
１２２    凸出部
１２３    凹陥部
２        発光ダイオード
２１      導線
３        透光素子
３１      位置決め柱
Ｐ１１    発光ユニット
Ｐ１１１  筐体
Ｐ１１２  発光ダイオード
Ｐ１１３  電源コード
Ｐ１１４  係合構造
Ｐ１１５  凸出部
Ｐ１１６  凹陥部
【図１】
0003186131.tif 000003
【図２】
0003186131.tif 000004
【図３】
0003186131.tif 000005
【図４】
0003186131.tif 000006
【図５】
0003186131.tif 000007
【図６】
0003186131.tif 000008